(57)【要約】      （修正有）【課題】複雑な電気的、機械的構成を用いず、はつり作業時の飛散防止対策とともに、油圧ブレーカの操作者が容易にノミを視認できる粉塵飛散防止装置及び粉塵飛散防止方法を提供する。【解決手段】建設機械１のブレーカ２によるはつり作業に用いる粉塵飛散防止装置５であって、該建設機械１のノミ４の周りに被包するように配設された内部を視認することが可能な外部カバーと、前記外部カバーの上端部を、前記ノミ４を保持するブレーカ機体部３に取り付ける固定手段９と、からなることを特徴とする粉塵飛散防止装置。【選択図】図１
2017024129.tif 000002
【特許請求の範囲】
【請求項１】
建設機械のブレーカによるはつり作業に用いる粉塵飛散防止装置であって、
前記建設機械のノミの周りに被包するように配設された内部を視認することが可能な外部カバーと、
前記外部カバーの上端部を、前記ノミを保持するブレーカ機体部に取り付ける固定手段と、
からなることを特徴とする粉塵飛散防止装置。
【請求項２】
建設機械のブレーカによるはつり作業に用いる粉塵飛散防止方法であって、
建設機械のブレーカのノミの周りに内部を視認することが可能な外部カバーを被包するように配設し、
前記外部カバーを、固定手段を介してブレーカ機体部に取り付けてなる
ことを特徴とする粉塵飛散防止方法。
【発明の詳細な説明】
【技術分野】
【０００１】
本発明は、油圧ブレーカの建設機械によるコンクリート等のはつり作業の粉塵飛散防止方法及び粉塵飛散防止装置に関する。
【背景技術】
【０００２】
油圧ブレーカは、ノミの打撃によって対象物を破壊するものであって、コンクリートの破壊、採石場での大岩石の小割り、道路工事の岩盤破砕・溝堀等に使用する。発破作業ができないトンネル工事や既設構造物の解体にも使用される。空気ブレーカは欧米で開発されたものであるが、現在はより効率性に優る油圧式が主流となっている。
【０００３】
油圧ブレーカによるコンクリート等のはつり作業は、ノミによる粉塵が広範囲に飛散することが問題である。特に、住居やビル、道路等の人が供用する空間が近接している都市部等ではその影響が大きく、従来からはつり作業中は、粉塵飛散防止のための散水養生を行うことが通例である。散水養生による粉塵飛散防止は、油圧ブレーカの操作者とは別の作業員が相番として専属することが多い。
【０００４】
特許文献１には、係る課題を解決するために、エアーブレーカーによる土間コンクリートはつり作業の粉塵飛散防止方法及び粉塵飛散防止装置に関する発明が示されている。エアーブレーカーによる土間コンクリートはつり作業は、ノミによる粉塵飛散の課題を抱えており、特に操業中の工場では、はつり時の粉塵飛散が工場の作業環境に悪影響を及ぼすので、粉塵の飛散防止のために大掛かりな養生を必要とし、手間と費用を掛けていること、また、散水不能やエアーダクトの排出口の距離が遠ざかったりする場合においては、飛散防止対策を難しくしている等の課題がある。
【０００５】
特許文献１に係る発明は、（１）エアーブレーカーによるはつり作業において、機体のノミの周りに、通気可能な外部カバーと内部カバーを、チェーンを介して上下移動自在に取り付け、該カバーにより粉塵の飛散を防止すると共に、該カバーと床面との隙間からの粉塵の飛散も常に塞ぐようにすることを特徴とするエアーブレーカーによる土間コンクリートはつり作業の粉塵飛散防止方法及び装置であり、あらゆる場合に対応できる簡易で的確な粉塵飛散防止方法及び装置を提供するものとして示されている。
【０００６】
しかしながら、特にバックホー等の建設機械に装着した油圧ブレーカの場合、前記カバー上面とノミとの隙間から確認することはできず、側面からの確認となるため、特許文献１に係る発明のように外部カバーと内部カバーとの間に濡れ雑巾を挟んだ二重構造では容易に確認はできない。通常、対象物に対して、ノミの先端位置、角度等を決めた上で、はつり作業を行うため、ノミの先端が確認できない場合、逆に作業効率を損なうことになる。
【先行技術文献】
【特許文献】
【０００７】
【特許文献１】特開平７−１６４３５２号公報
【発明の概要】
【発明が解決しようとする課題】
【０００８】
本発明は、上記する問題に鑑みてなされたものであり、複雑な電気的、機械的構成を用いず、はつり作業時の飛散防止対策とともに、油圧ブレーカの操作者が容易にノミを視認できる粉塵飛散防止装置及び粉塵飛散防止方法を提供することを目的とする。
【課題を解決するための手段】
【０００９】
前記目的を達成すべく、本発明による粉塵飛散防止装置は、建設機械のブレーカによるはつり作業に用いる粉塵飛散防止装置であって、前記建設機械のノミの周りに被包するように配設された内部を視認することが可能な外部カバーと前記外部カバーの上端部を、前記ノミを保持するブレーカ機体部に取り付ける固定手段とからなることを特徴とする。
【００１０】
また、建設機械のブレーカによるはつり作業に用いる粉塵飛散防止方法であって、建設機械のブレーカのノミの周りに内部を視認することが可能な外部カバーを被包するように配設し、前記外部カバーを、固定手段を介してブレーカ機体部に取り付けてなることを特徴とする。
【発明の効果】
【００１１】
以上の説明から理解できるように、粉塵飛散防止装置及び粉塵飛散防止方法によれば、複雑な電気的、機械的構成を用いず、はつり作業時の飛散防止対策とともに、油圧ブレーカの操作者が容易にノミを視認できる。
【図面の簡単な説明】
【００１２】
【図１】本発明の粉塵飛散防止装置の建設機械への設置例である。
【図２】本発明の粉塵飛散防止装置の俯瞰図である。
【発明を実施するための形態】
【００１３】
以下、図面を参照して本発明の粉塵飛散防止装置及び粉塵飛散防止方法の実施形態を説明する。
【００１４】
図１は、本発明の粉塵飛散防止装置の建設機械への設置例である。粉塵飛散防止装置５は、建設機械１のブレーカ２のノミ４の先端方向から被包するようにブレーカ機体部３の先端部に密着するように覆い、固定手段９の一端を粉塵飛散防止装置５の上端部に複数設けられた孔８に通しつつ、ブレーカ機体部３に予め設けられている所定の開口や隙間にも挿通し、固定手段９の他端と結束することで、粉塵飛散防止装置５をブレーカ機体部３に掛止する。ここに、固定手段９は転用できるように、結束線や紐、ナイロンバンド等が挙げられるが、孔８に挿通して掛止する手段ではなく、粘着テープ等でブレーカ機体部３に粉塵飛散防止装置５を直接固定しても良い。
【００１５】
粉塵飛散防止装置５の端部がノミ４の先端部と同じか、若干短くなるように固定手段９の長さを調整する。はつり作業中にノミ４の先端とはつり対象物との間に粉塵飛散防止装置５を挟み込んでしまうことを避けるためである。
【００１６】
図２は、本発明の粉塵飛散防止装置の俯瞰図である。粉塵飛散防止装置５は、略矩形形状の外部カバー６を筒状に巻き、外部カバー６の両端辺縁部に設けた雄雌の留め具１０を嵌合することによって、両端が重ね合わせられて固定される。ここに、外部カバー６は、ポリ塩化ビニール等が挙げられるが、内部を視認でき、所定の耐久性を有していれば、これに限定されない。また留め具１０に関しても、雄雌嵌合のボタンや面ファスナー等が挙げられるが、着脱可能であればこれらに限定されない。
【００１７】
また、筒状にした外部カバー６のノミ４の先端側に当たる辺縁部には複数の孔８が設けられ、一端を孔８に挿通した固定手段９を筒状の外部カバー６の寸法に合わせて形成されたリング７を巻き込むように他端と結束することで外部カバー６にリング７が掛止されている。ここに、孔８には挿通した固定手段９を通じて所定の引張力が作用するため、係る引張力によって孔８が切拡がらないように、金属やプラスチック等の素材を用いたリング式のリベット等で補強することが望ましい。ただし、リングの素材や形状は限定されない。
【００１８】
外部カバー８とリング７は一体であっても良いし、外部カバー８は、予め筒状の形状であっても良い。
【００１９】
以上、本発明の実施の形態を図面を用いて詳述してきたが、具体的な構成はこの実施形態に限定されるものではなく、本発明の要旨を逸脱しない範囲における変更等があっても、それらは本発明に含まれるものである。
【符号の説明】
【００２０】
１    建設機械
２    ブレーカ
３    ブレーカ機体部
４    ノミ
５    粉塵飛散防止装置
６    外部カバー
７    リング
８    孔
９    固定手段
１０  留め具
【図１】
2017024129.tif 000003
【図２】
2017024129.tif 000004